(57)【要約】【課題】  無端ベルトに対する水切り効果を促進し、無端ベルトの目詰りを低減することが可能なベルト型濃縮機を提供する。【解決手段】  濃縮対象汚泥の搬送軌道２０上における無端ベルト９を下側から支える複数の支え板２６ａ，２６ｂが設けられ、無端ベルト９の下面が各支え板２６ａ，２６ｂに摺接する。各支え板２６ａ，２６ｂは、搬送軌道２０上における無端ベルト９の進行方向Ａに対して傾斜して「ハ」形状に左右一対ずつ配置され、無端ベルト９の幅方向Ｗにおける中央部を通る直線Ｌに対して左右対称になっている。【選択図】  図４
2005095845.tif 000002
【特許請求の範囲】
【請求項１】
濃縮対象汚泥を搬送しながら重力濾過する回動自在な透水性のある無端ベルトを備えたベルト型濃縮機であって、上記無端ベルトは、線材を組合せて成り且つ進行方向において伸縮性を有するメッシュ状のベルト本体と、ベルト本体の両側縁に複数の取付部材を介して全周にわたり取付けられ且つ進行方向において剛性を有するチェンとで構成され、上記チェンは搬送軌道の始端側と終端側とに配置された回転自在なスプロケット間に巻回され、上記取付部材は無端ベルトの進行方向に所定ピッチおきに設けられ、濃縮対象汚泥の搬送軌道上における無端ベルトを下側から支える複数の支え板が搬送軌道方向に所定間隔をあけて配置され、上記ベルト本体の下面が各支え板に摺接することを特徴とするベルト型濃縮機。
【請求項２】
各支え板は搬送軌道上における無端ベルトの進行方向に対して傾斜していることを特徴とする請求項１記載のベルト型濃縮機。
【請求項３】
各支え板は、無端ベルトの幅方向における中央部を通る直線に対して、左右対称になるように配置されていることを特徴とする請求項２記載のベルト型濃縮機。
【請求項４】
各支え板は、無端ベルトの幅方向における中央部から両側部へ向けて傾斜していることを特徴とする請求項２又は請求項３記載のベルト型濃縮機。
【発明の詳細な説明】
【技術分野】
【０００１】
本発明は、例えば下水処理場における余剰汚泥（混合生汚泥，消化汚泥，ＯＤ余剰汚泥）の濃縮等に用いられるベルト型濃縮機に関する。
【背景技術】
【０００２】
従来、この種のベルト型濃縮機としては、例えば図１７に示すように、架台６１に一対のローラー６２を設け、これら両ローラー６２間にワイヤーメッシュ構造の無端ベルト６３を掛け渡し、ローラー６２を回転駆動することにより、無端ベルト６３を回動させ、濃縮対象汚泥を搬送軌道６４に沿って無端ベルト６３で搬送しながら重力濾過するものがある。
【０００３】
また、上記架台６１には、搬送軌道６４上の無端ベルト６３を下側から支える複数のキャリアローラー６５が設けられている。これらキャリアローラー６５の軸心は搬送軌道６４に対して直交する方向に設定されており、各キャリアローラー６５は無端ベルト６３の幅方向にわたっている（例えば特許文献１参照）。
【０００４】
これによると、搬送軌道６４上において重力により濃縮対象汚泥から脱離した脱離水は、無端ベルト６３の上面から下面へ透過し、無端ベルト６３の下方へ排水される。
しかしながら上記の従来形式では、キャリアローラー６５では、無端ベルト６３に対する水切り効果が低く、このため、無端ベルト６３の下面に付着した脱離水が確実に除去されず、無端ベルト６３の水抜けが阻害され、無端ベルト６３の下方への脱離水の排水性を向上させることができないといった問題があり、無端ベルト６３が目詰まりし易かった。
【特許文献１】特開２００２−３２６００６号
【発明の開示】
【発明が解決しようとする課題】
【０００５】
本発明は、無端ベルトに対する水切り効果を促進することができ、無端ベルトの下方への脱離水の排水性を向上させることにより、無端ベルトの目詰まりを低減することが可能なベルト型濃縮機を提供することを目的とする。
【課題を解決するための手段】
【０００６】
上記目的を達成するために本第１発明は、濃縮対象汚泥を搬送しながら重力濾過する回動自在な透水性のある無端ベルトを備えたベルト型濃縮機であって、上記無端ベルトは、線材を組合せて成り且つ進行方向において伸縮性を有するメッシュ状のベルト本体と、ベルト本体の両側縁に複数の取付部材を介して全周にわたり取付けられ且つ進行方向において剛性を有するチェンとで構成され、上記チェンは搬送軌道の始端側と終端側とに配置された回転自在なスプロケット間に巻回され、上記取付部材は無端ベルトの進行方向に所定ピッチおきに設けられ、濃縮対象汚泥の搬送軌道上における無端ベルトを下側から支える複数の支え板が搬送軌道方向に所定間隔をあけて配置され、上記ベルト本体の下面が各支え板に摺接するものである。
【０００７】
これによると、スプロケットを回転することにより、無端ベルトは複数の支え板によって支えられながら回動する。この際、ベルト本体の下面が各支え板に摺接するため、ベルト本体の下面に対する水切り効果が発揮され、従来のキャリアローラーに比べて、ベルト本体の下面に付着した脱離水が確実に除去され、ベルト本体の水抜けが促進される。このように、各支え板は無端ベルトを支える機能と水切り機能との２つの機能を有するため、利便性に富み、部品点数を削減できる。
【０００８】
また、搬送軌道上において、ベルト本体の自重とベルト本体上の濃縮対象汚泥の自重とにより、チェンに対してベルト本体が進行方向に伸び、このため、ベルト本体の取付部材間の部分に、下方へ撓んだ谷部が形成される。この状態で無端ベルトが回動して支え板上を通る際、上記ベルト本体の谷部が支え板で持ち上げられて山部が発生し、上記支え板上を通過した後、谷部に戻る。これにより、搬送軌道上における無端ベルトのベルト本体に谷部と山部とが交互に発生し、上記山部において、ベルト本体の上面（表面）側で開孔部が拡大するため、濃縮対象汚泥からベルト本体への吸水が促進される。また、上記谷部において、ベルト本体の下面（裏面）側で開孔部が拡大するため、ベルト本体から下方への排水が促進される。これにより、無端ベルトの吸水性と排水性とが向上し、無端ベルトの目詰まりが低減される。
【０００９】
本第２発明は、各支え板は搬送軌道上における無端ベルトの進行方向に対して傾斜しているものである。
本第３発明は、各支え板は、無端ベルトの幅方向における中央部を通る直線に対して、左右対称になるように配置されているものである。
【００１０】
これによると、無端ベルトを回動した際、搬送軌道上における無端ベルトの直進性が保たれ、無端ベルトの蛇行が防止される。このように、各支え板は無端ベルトの蛇行防止機能をも有するため、利便性に富み、部品点数を削減できる。
【００１１】
本第４発明は、各支え板は、無端ベルトの幅方向における中央部から両側部へ向けて傾斜しているものである。
これによると、無端ベルトが回動して支え板上を通る際、上記ベルト本体の谷部が支え板で持ち上げられて山部が発生し、ベルト本体が進行するにつれて上記山部の位置が無端ベルトの幅方向における中央部から両側部へ向けて変移する。このため、ベルト本体上に供給された濃縮対象汚泥は、搬送されながら、上記山部によってベルト本体の中央部から両側部へ向けて分散され、均される。
【発明の効果】
【００１２】
本発明によれば、ベルト本体の下面が各支え板に摺接するため、ベルト本体の下面に対する水切り効果が発揮され、従来のキャリアローラーに比べて、ベルト本体の下面に付着した脱離水が確実に除去され、ベルト本体の水抜けが促進される。
【００１３】
さらに、搬送軌道上における無端ベルトのベルト本体に谷部と山部とが交互に発生し、上記山部において、濃縮対象汚泥からベルト本体への吸水が促進され、また、上記谷部において、ベルト本体から下方への排水が促進されるため、無端ベルトの吸水性と排水性とが向上し、無端ベルトの目詰まりが低減される。
【発明を実施するための最良の形態】
【００１４】
本発明における第１の実施の形態を図１〜図１１に基づいて説明する。
図１，図２に示すように、１は、始端側の汚泥供給部２（汚泥供給シュート等）から供給された濃縮対象汚泥３を搬送しながら重力濾過して脱水濃縮し、終端側の汚泥排出部４（汚泥排出シュート等）から排出するベルト型濃縮機である。
【００１５】
このベルト型濃縮機１は、始端側に設けられた回転自在な従動ローラー６と、終端側に設けられてモーター７により回転駆動される駆動ローラー８と、これら前後一対のローラー６，８間に掛け渡された金属製（ステンレス製）の無端ベルト９とを有している。このうち、図３に示すように、駆動ローラー８の両端に設けられた支軸１１が軸受け１２を介して回転自在に左右一対の終端側サイドフレーム１３ａに支持されている。同様に、従動ローラー６の両端に設けられた支軸１１が軸受け１２を介して回転自在に左右一対の始端側サイドフレーム１３ｂに支持されている。尚、図２，図３に示すように、上記終端側サイドフレーム１３ａは複数本の脚１７を有する架台１８の終端部（後部）に立設され、始端側サイドフレーム１３ｂは上記架台１８の始端部（前部）に立設されている。
【００１６】
また、図１，図２に示すように、駆動ローラー８の一端に設けられた一方の支軸１１の先端にはローラー側スプロケット１４が設けられ、上記モーター７にはモーター側スプロケット１５が設けられ、これら両スプロケット１４，１５間に駆動用チェン１６が巻回されている。また、上記各支軸１１には、両ローラー６，８の端部と各サイドフレーム１３ａ，１３ｂとの間に位置するスプロケット１９が設けられている。
【００１７】
上記無端ベルト９の軌道として、上記汚泥供給部２から投入された濃縮対象汚泥３を汚泥排出部４まで搬送する直線状の搬送軌道２０と、この搬送軌道２０の下方に位置し且つ汚泥排出部４から汚泥供給部２へ戻る直線状の戻り軌道２１とが形成されている。尚、上記汚泥供給部２から無端ベルト９への濃縮対象汚泥３の供給方向Ｓ（図１参照）は搬送軌道２０上の無端ベルト９の進行方向Ａと一致している。
【００１８】
図６，図７に示すように、上記無端ベルト９は、ベルト本体２２と、ベルト本体２２の両側縁に複数のリンク３９（取付部材の一例）を介して全周にわたり取付けられたチェン２３とで構成されている。
【００１９】
図８，図９に示すように、上記ベルト本体２２は、ベルト幅方向Ｗの軸心回りに螺旋状を成し且つ巻方向の異なった複数本の金属線材２２ａを進行方向Ａに沿って交互に密着させて配列し、幅方向Ｗで重なる複数本の金属線材２２ａに直線状の骨線材２２ｂを挿通して構成されたメッシュ状のベルトである。このベルト本体２２は、表面と裏面とに連通する多数の微小な開孔部２２ｃと、複数の内部空隙２２ｄとを有しており、上記開孔部２２ｃは互いに隣接する３本の金属線材２２ａ間に形成されている。これにより、螺旋状の各金属線材２２ａ同士は骨線材２２ｂによって互いに連結され、ベルト本体２２は、表裏方向に屈曲自在であり、且つ、進行方向Ａにおいて伸縮性を有し、さらに、表裏方向における透水性を有する。
【００２０】
また、搬送軌道２０上のベルト本体２２の上面において、上記金属線材２２ａは、汚泥供給部２からの濃縮対象汚泥３の供給方向Ｓ（＝進行方向Ａ）に対して、ベルト幅方向Ｗに０°〜４５°の範囲の角度αで傾斜している。
【００２１】
図６，図７に示すように、上記両チェン２３は、進行方向Ａにおいて剛性を有しており、搬送軌道２０の始端側のスプロケット１９と終端側のスプロケット１９との間に巻回されて所定のテンションで張られている。
【００２２】
また、上記各リンク３９は板状に形成されており、リンク３９の外端部がチェン２３のピンリンクプレート２３ａに一体に取付けられ、リンク３９の内端部がベルト本体２２の側縁部裏面に当て付けられてねじ４０とナット４１と座金４２で連結されている。上記各リンク３９は進行方向Ａに所定ピッチＰ１おきに設けられている。
【００２３】
また、図１，図２に示すように、終端側サイドフレーム１３ａと始端側サイドフレーム１３ｂとの前後間には、搬送軌道２０に沿って搬送される濃縮対象汚泥３が無端ベルト９上から両外側方へ零れ落ちることを防止するための左右一対のガイド体２４が設けられている。
【００２４】
上記無端ベルト９は、搬送軌道２０上において、複数の支え板２６ａ，２６ｂによって下側から支えられている。図３〜図５に示すように、上記各支え板２６ａ，２６ｂは、プラスチック等の樹脂製であり、進行方向Ａに対して水平面内で傾斜し、無端ベルト９の幅方向Ｗにおける中央部を通る直線Ｌに対して、左右対称になるように配置されている。すなわち、平面視において、左右一対の支え板２６ａ，２６ｂは、始端側の左右間隔が開き且つ終端側の左右間隔が閉じた「ハ」形状に配置され、搬送軌道２０の方向に所定間隔Ｐ２おきに複数配列されている。尚、各支え板２６ａ，２６ｂの上面に対して無端ベルト９の下面が摺接する。
【００２５】
上記各支え板２６ａ，２６ｂの両端部および両端間の中間部はそれぞれ下方から横桟２７によって支持されている。これら各横桟２７は、アングル状に形成され、無端ベルト９の幅方向Ｗに沿って配置され、搬送軌道２０の始端部から終端部にわたって所定間隔おきに複数配列されている。各支え板２６ａ，２６ｂは皿ねじ２８により横桟２７の上面に取付け固定されている。
【００２６】
上記各横桟２７は左右一対の横フレーム２９間に支持されている。すなわち、両横フレーム２９は、架台１８に立設された左右一対の縦フレーム３０に取付けられて、搬送軌道２０の始端部から終端部に沿って設けられている。各横桟２７の両端部はボルト３１，ナット３２により両横フレーム２９に連結固定されている。尚、縦フレーム３０は、終端側サイドフレーム１３ａと始端側サイドフレーム１３ｂとの間において、複数設けられている。
【００２７】
また、図１，図５に示すように、特定の左右一対の縦フレーム３０間には、無端ベルト９を戻り軌道２１上において下側から支持する支持ローラー３５が設けられている。これら支持ローラー３５の両端部に設けられた支軸３６には、戻り軌道２１上における無端ベルト９のチェン２３に下方から歯合するスプロケット３７が備えられている。
【００２８】
尚、架台１８には、濃縮対象汚泥３を重力濾過することによって無端ベルト９から滴下した脱離水Ｂを集水して排出する排水部（図示せず）が設けられている。
以下、上記構成における作用を説明する。
【００２９】
図１に示すように、モーター７で駆動ローラー８を回転駆動させることにより、従動ローラー６が従動回転するとともに、各スプロケット１９が回転して無端ベルト９が進行方向Ａへ回動する。そして、前以て凝集剤を添加した濃縮対象汚泥３を汚泥供給部２から搬送軌道２０上の無端ベルト９へ供給する。このようにして無端ベルト９へ供給された濃縮対象汚泥３は、無端ベルト９によって搬送軌道２０上を始端側から終端側へ搬送されながら重力濾過され、脱水濃縮されて汚泥排出部４から排出される。また、上記重力濾過によって濃縮対象汚泥３から脱離され無端ベルト９から滴下した脱離水Ｂは集水されて排水部（図示せず）から排水される。
【００３０】
この際、搬送軌道２０上において、上記無端ベルト９は各支え板２６ａ，２６ｂによって下方から支えられながら回動し、無端ベルト９のベルト本体２２の下面（裏面）が各支え板２６ａ，２６ｂの上面に面同士で摺接するため、ベルト本体２２の下面に対する水切り効果が発揮され、無端ベルト９の下面に付着した脱離水Ｂが確実に除去され、無端ベルト９の水抜けが促進される。
【００３１】
また、左右一対の支え板２６ａ，２６ｂは、直線Ｌに対して左右対称に配置され、始端側の左右間隔が開き且つ終端側の左右間隔が閉じた「ハ」形状に配置されているため、無端ベルト９を回動した際、搬送軌道２０上における無端ベルト９の直進性が保たれ、無端ベルト９の蛇行が防止される。このように、各支え板２６ａ，２６ｂは、無端ベルト９を支える機能と、水切り機能と、無端ベルト９の蛇行防止機能との３つの機能を有するため、利便性に富み、部品点数を削減できる。
【００３２】
また、ベルト本体２２は進行方向Ａにおいて剛性を有するチェン２３に対して伸縮性を有するため、搬送軌道２０上では、ベルト本体２２の自重とベルト本体２２上の濃縮対象汚泥３の自重とにより、チェン２３に対してベルト本体２２が進行方向Ａに伸び、このため、図１０に示すように、ベルト本体２２の各リンク３９間の部分に、下方へ撓んだ谷部４５が形成される。この状態で無端ベルト９が支え板２６ａ，２６ｂ上を通る際、図１１（ａ）に示すように、上記ベルト本体２２の谷部４５が支え板２６ａ，２６ｂによって持ち上げられて山部４７が発生し、図１１（ｂ）に示すように、上記支え板２６ａ，２６ｂ上を通過した後、谷部４５に戻る。これにより、搬送軌道２０上における無端ベルト９のベルト本体２２に谷部４５と山部４７とが交互に発生し、上記山部４７（図１１（ａ）参照）において、ベルト本体２２の上面（表面）側で開孔部２２ｃが拡大するため、濃縮対象汚泥３からベルト本体２２の内部空隙２２ｄへの吸水が促進される。また、上記谷部４５（図１１（ｂ）参照）において、ベルト本体２２の下面（裏面）側で開孔部２２ｃが拡大するため、ベルト本体２２の内部空隙２２ｄから下方への排水が促進される。これにより、無端ベルトの吸水性と排水性とが向上し、無端ベルト９の目詰まりが低減される。
【００３３】
また、図８に示すように、ベルト本体２２の金属線材２２ａを濃縮対象汚泥３の供給方向Ｓ（＝進行方向Ａ）に対してベルト幅方向Ｗへ角度αで傾斜させることにより、ベルト本体２２上に供給された濃縮対象汚泥３は上記金属線材２２ａに沿ってベルト幅方向Ｗへ分散される。
【００３４】
尚、図１０，図１１に示した谷部４５と山部４７とは作用効果を明確に説明するために誇張して描いており、実際の谷部４５の深さと山部４７の高さとは図１０，図１１よりも僅かである。
【００３５】
上記第１の実施の形態では、図４に示すように、左右一対の支え板２６ａ，２６ｂを「ハ」形状に配置しているが、以下に示すように、左右一対の支え板２６ａ，２６ｂを他のパターンで配置してもよい。
【００３６】
すなわち、幅の広い無端ベルト９に対して、第２の実施の形態として図１２に示すように、「ハ」形状に配置した左右一対の支え板２６ａ，２６ｂの一側方に、左右一方の支え板２６ａに平行な複数の支え板２６ａを配置し、また、上記「ハ」形状に配置した左右一対の支え板２６ａ，２６ｂの他側方に、左右他方の支え板２６ｂに平行な複数の支え板２６ｂを配置している。これら複数の一方の支え板２６ａと複数の他方の支え板２６ｂとは直線Ｌに対して左右対称に配置されている。
【００３７】
また、第３の実施の形態として図１３に示すように、直線Ｌに対して左右一側方には、一方の支え板２６ａが始端側の左右間隔を開き且つ終端側の左右間隔を閉じた「ハ」形状に配置され、同様に、直線Ｌに対して左右他側方には、他方の支え板２６ｂが始端側の左右間隔を開き且つ終端側の左右間隔を閉じた「ハ」形状に配置され、これら一方の支え板２６ａと他方の支え板２６ｂとは直線Ｌに対して左右対称に配置されている。
【００３８】
また、第４の実施の形態として図１４に示すように、各支え板２６を無端ベルト９の進行方向Ａ（直線Ｌ）に対して同じ向きに傾斜させて配置してもよい。尚、この場合、各支え板２６は、無端ベルト９を支える機能と水切り機能とを有するが、無端ベルト９の蛇行防止機能は発揮されない。
【００３９】
尚、第１の実施の形態では、図４に示すように、左右一対の支え板２６ａ，２６ｂを、無端ベルト９の幅方向Ｗにおける両側部から中央部へ向けて傾斜させることにより、始端側の左右間隔を開き且つ終端側の左右間隔を閉じた「ハ」形状に配置しているが、第５の実施の形態として、図１５に示すように、上記支え板２６ａ，２６ｂを、無端ベルト９の幅方向Ｗにおける中央部から両側部へ向けて傾斜させることにより、始端側の左右間隔を閉じ且つ終端側の左右間隔を開いた逆「ハ」形状（「Ｖ」形状）に配置してもよい。
【００４０】
これによると、無端ベルト９の蛇行が防止され、また、無端ベルト９が支え板２６ａ，２６ｂ上を通る際、上記ベルト本体２２の谷部４５が支え板２６ａ，２６ｂで持ち上げられて山部４７が発生し、ベルト本体２２が進行するにつれて上記山部４７の位置が無端ベルト９の幅方向Ｗにおける中央部から両側部へ向けて変移する。このため、ベルト本体２２上に供給された濃縮対象汚泥３は、無端ベルト９で搬送されながら、上記山部４７によって無端ベルト９の中央部から両側部へ向けて分散され、均される。
【００４１】
上記第１〜第５の実施の形態では、各支え板２６，２６ａ，２６ｂを無端ベルト９の進行方向Ａ（直線Ｌ）に対して水平面内で傾斜させて配置しているが、第６の実施の形態とて、図１６に示すように、各支え板２６を無端ベルト９の進行方向Ａ（直線Ｌ）に対して直交するように配置してもよい。この場合、各支え板２６は各横桟２７の上面に皿ねじ２８により取付け固定されている。
【図面の簡単な説明】
【００４２】
【図１】本発明の第１の実施の形態におけるベルト型濃縮機の概略側面図である。
【図２】図１におけるＸ−Ｘ矢視図である。
【図３】同、ベルト型濃縮機の始端側と終端側との平面図であり、無端ベルトを省略して支え板が露出した状態を示している。
【図４】同、ベルト型濃縮機の始端側と終端側との間の中間部分の平面図であり、無端ベルトの一部を破断して支え板が露出した状態を示している。
【図５】図４におけるＸ−Ｘ矢視図である。
【図６】同、ベルト型濃縮機の無端ベルトの側縁部の拡大平面図である。
【図７】図６におけるＸ−Ｘ矢視図である。
【図８】同、ベルト型濃縮機の無端ベルトのベルト本体の構成を示す拡大平面図である。
【図９】図８におけるＸ−Ｘ矢視図である。
【図１０】同、ベルト型濃縮機の無端ベルトのチェンに対するベルト本体の撓みを示す側面図である。
【図１１】同、ベルト型濃縮機の無端ベルトのベルト本体が支え板に支えられながら進行する状態を示した側面図であり、（ａ）はベルト本体の谷部が支え板によって持ち上げられて山部が発生した状態を示し、（ｂ）は谷部が支え板上を通過して、支え板間に谷部が形成されている状態を示す。
【図１２】本発明の第２の実施の形態におけるベルト型濃縮機の支え板を異なったパターンで配置した平面図である。
【図１３】本発明の第３の実施の形態におけるベルト型濃縮機の支え板を異なったパターンで配置した平面図である。
【図１４】本発明の第４の実施の形態におけるベルト型濃縮機の支え板を異なったパターンで配置した平面図である。
【図１５】本発明の第５の実施の形態におけるベルト型濃縮機の支え板を異なったパターンで配置した平面図である。
【図１６】本発明の第６の実施の形態におけるベルト型濃縮機の支え板を異なったパターンで配置した平面図である。
【図１７】従来のベルト型濃縮機の概略側面図である。
【符号の説明】
【００４３】
１    ベルト型濃縮機
３    濃縮対象汚泥
９    無端ベルト
２０    搬送軌道
２２    ベルト本体
２２ａ，２２ｂ    線材
２３    チェン
２６，２６ａ，２６ｂ    支え板
３７    スプロケット
３９    リンク（取付部材）
Ａ    進行方向
Ｌ    直線
Ｐ１    所定ピッチ
Ｐ２    所定間隔
Ｗ    無端ベルト幅方向
【図１】
2005095845.tif 000003
【図２】
2005095845.tif 000004
【図３】
2005095845.tif 000005
【図４】
2005095845.tif 000006
【図５】
2005095845.tif 000007
【図６】
2005095845.tif 000008
【図７】
2005095845.tif 000009
【図８】
2005095845.tif 000010
【図９】
2005095845.tif 000011
【図１０】
2005095845.tif 000012
【図１１】
2005095845.tif 000013
【図１２】
2005095845.tif 000014
【図１３】
2005095845.tif 000015
【図１４】
2005095845.tif 000016
【図１５】
2005095845.tif 000017
【図１６】
2005095845.tif 000018
【図１７】
2005095845.tif 000019